(57)【要約】【課題】インターネット放送を利用した結婚式の中継サービス自体を事業として実施する場合に、その事業者の立場で事業を有利に展開するに適した結婚式の中継サービス方法及びこのサービス方法の実施に適用するシステムを提供する。【解決手段】結婚式の状況をカメラ装置５０を用いて取得してなる映像の映像データを結婚式の中継サービス業者の管理下に設置されたサーバー装置１０に一時的に保存し、該サーバー装置１０に保存された映像データに基づいてストリーミング配信を利用したインターネット放送によってマルチウィンドウにて商業的宣伝のための情報を伴って当該結婚式の状況を配信するが、この宣伝に係るコマーシャル収入を得る。【選択図】      図１
2004221769.tif 000002
【特許請求の範囲】
【請求項１】
外部から供給された映像データを自己の記憶領域に少なくとも一時的に保存すると共に当該映像データをインターネットの回線網に向けて送出可能になされたサーバー装置を設置し、前記サーバー装置に結婚式の状況をカメラ装置を用いて取得してなる映像の映像データを一時的に保存し、該サーバー装置に保存された映像データに基づいてストリーミング配信を利用したインターネット放送によって当該結婚式の状況を配信することを特徴とする結婚式の中継サービス方法。
【請求項２】
前記カメラ装置として、複数種類のテレビカメラのうち用途に適合する何れか一のもの乃至複数のものによって取得した映像を前記サーバー装置に伝送する機能を備えた伝送器に接続可能なカメラ装置を適用することを特徴とする請求項１に記載の結婚式の中継サービス方法。
【請求項３】
前記カメラ装置として、所定期間に亘って常時リアルタイムでインターネット上に生中継の映像を送り続けることが可能になされたライブ・カメラを適用することを特徴とする請求項１に記載の結婚式の中継サービス方法。
【請求項４】
前記カメラ装置として、有線の伝送路を通して前記サーバー装置に結婚式の状況を表す映像の映像データを供給するように機能する伝送器を含んでなる装置を適用することを特徴とする請求項１に記載の結婚式の中継サービス方法。
【請求項５】
前記カメラ装置として、無線の伝送路を通して前記サーバー装置に結婚式の状況を表す映像の映像データを供給するように機能する伝送器を含んでなる装置を適用することを特徴とする請求項１に記載の結婚式の中継サービス方法。
【請求項６】
前記カメラ装置として、通信衛星を利用した伝送路を通して前記サーバー装置に結婚式の状況を表す映像の映像データを供給するように機能する装置を適用することを特徴とする請求項１に記載の結婚式の中継サービス方法。
【請求項７】
前記伝送器を、賃貸借契約に基づいて利用者に貸与することを特徴とする請求項２に記載の結婚式の中継サービス方法。
【請求項８】
前記カメラ装置を、賃貸借契約に基づいて利用者に貸与することを特徴とする請求項３乃至６の何れかに記載の結婚式の中継サービス方法。
【請求項９】
前記賃貸借契約乃至該契約に付帯する契約に基づいて当該伝送器の貸与と共にカメラ装置を用いて結婚式の状況を撮影するカメラマン等のカメラクルーの手配に係る便宜を提供することを特徴とする請求項７に記載の結婚式の中継サービス方法。
【請求項１０】
前記賃貸借契約乃至該契約に付帯する契約に基づいて当該カメラ装置の貸与と共にカメラ装置を用いて結婚式の状況を撮影するために用いる照明設備、電源設備、又は、カメラマン等のカメラクルーの手配に係る便宜を提供することを特徴とする請求項８に記載の結婚式の中継サービス方法。
【請求項１１】
前記サーバー装置からストリーミング配信によってインターネット放送を行うに際して、当該結婚式の映像に伴って静止画像を配信することを特徴とする請求項１に記載の結婚式の中継サービス方法。
【請求項１２】
前記サーバー装置からストリーミング配信によってインターネット放送を行うに際して、当該結婚式の映像に伴ってナレーションを配信することを特徴とする請求項１に記載の結婚式の中継サービス方法。
【請求項１３】
前記サーバー装置からストリーミング配信によってインターネット放送を行うに際して、当該結婚式の映像に伴って文字情報を配信することを特徴とする請求項１に記載の結婚式の中継サービス方法。
【請求項１４】
前記サーバー装置からストリーミング配信によってインターネット放送を行うに際して、当該結婚式の映像に伴って商業的宣伝のための情報を配信することを特徴とする請求項１に記載の結婚式の中継サービス方法。
【請求項１５】
依頼者の所望に応じて、前記サーバー装置に当該結婚式の状況を表す映像の映像データを一時預かりすることを特徴とする請求項１に記載の結婚式の中継サービス方法。
【請求項１６】
前記結婚式の状況を表す映像の映像データを一時預かりするに関して、当該一時預かりの依頼者に対して、映像データのデータ量又は預かり期間に応じた課金を行うことを特徴とする請求項１５に記載の結婚式の中継サービス方法。
【請求項１７】
前記サーバー装置からストリーミング配信によってインターネット放送を行うサービスに関する料金は前記商業的宣伝の広告主から集金し、前記サーバー装置に前記結婚式の状況を表す映像の映像データをアップロードするための費用を該結婚式のインターネット放送の依頼者に負担させることを特徴とする請求項１４に記載の結婚式の中継サービス方法。
【請求項１８】
前記サーバー装置からストリーミング配信によってインターネット放送を行うに際して、アグリゲーションによって複数のサービスを統合して単一の情報配信サービスとして放送することを特徴とする請求項１に記載の結婚式の中継サービス方法。
【請求項１９】
前記インターネット放送を５１２乃至８００Ｋｂｐｓ以上のデータ伝送速度で伝送することを特徴とする請求項１に記載の結婚式の中継サービス方法。
【請求項２０】
配信元と配信先間の双方向通信を利用して、チャット、Ｗｅｂカメラによる視聴者サイドの映像送信及び視聴者のビデオ参加を行うことを特徴とする請求項１に記載の結婚式の中継サービス方法。
【請求項２１】
ご祝儀のネットマネー決済を行うことを特徴とする請求項１に記載の結婚式の中継サービス方法。
【請求項２２】
前記インターネット放送をマルチウィンドウにて提供し、該マルチウィンドウのうちの特定のウィンドウは当該インターネット放送の受信者にて書き込み自在とすることを特徴とする請求項１に記載の結婚式の中継サービス方法。
【請求項２３】
外部から供給された映像データを自己の記憶領域に少なくとも一時的に保存すると共に当該映像データをインターネットの回線網に向けストリーミング配信を利用したインターネット放送として送出可能になされたサーバー装置と、結婚式の状況をカメラを用いて取得してなる映像の映像データを前記サーバー装置に伝送するための伝送器と、を含んで構成されたことを特徴とする結婚式の中継サービスに適用するシステム。
【請求項２４】
前記伝送器は、複数種類の既存のテレビカメラのうち用途に適合する何れか一のもの乃至複数のものを自己の入力側に接続可能になされ、当該接続されたテレビカメラによって取得した映像を前記サーバー装置に伝送するように構成されたものであることを特徴とする請求項２３に記載の結婚式の中継サービスに適用するシステム。
【請求項２５】
前記カメラ装置は、所定期間に亘って常時リアルタイムでインターネット上に生中継の映像を送り続けることが可能になされたライブ・カメラであることを特徴とする請求項２３に記載の結婚式の中継サービスに適用するシステム。
【請求項２６】
前記カメラ装置は、有線の伝送路を通して前記サーバー装置に結婚式の状況を表す映像の映像データを供給する伝送器を含んでなるものであることを特徴とする請求項２３に記載の結婚式の中継サービスに適用するシステム。
【請求項２７】
前記カメラ装置は、無線の伝送路を通して前記サーバー装置に結婚式の状況を表す映像の映像データを供給する伝送器を含んでなるものであることを特徴とする請求項２３に記載の結婚式の中継サービスに適用するシステム。
【請求項２８】
前記カメラ装置は、通信衛星を利用した伝送路を通して前記サーバー装置に結婚式の状況を表す映像の映像データを供給するように構成されたものであることを特徴とする請求項２３に記載の結婚式の中継サービスに適用するシステム。
【請求項２９】
前記サーバー装置は、ストリーミング配信によってインターネット放送を行うようになされ、該ストリーミング配信に際して、当該結婚式の映像に伴って静止画像を配信可能に構成されたものであることを特徴とする請求項２３に記載の結婚式の中継サービスに適用するシステム。
【請求項３０】
前記サーバー装置は、ストリーミング配信によってインターネット放送を行うようになされ、該ストリーミング配信に際して、当該結婚式の映像に伴って文字情報を配信可能に構成されたものであることを特徴とする請求項２３に記載の結婚式の中継サービスに適用するシステム。
【請求項３１】
前記サーバー装置は、ストリーミング配信によってインターネット放送を行うようになされ、該ストリーミング配信に際して、当該結婚式の映像に伴って商業的宣伝のための情報を配信可能に構成されたものであることを特徴とする請求項２３に記載の結婚式の中継サービスに適用するシステム。
【請求項３２】
上記インターネット放送におけるデータ伝送速度は５１２乃至８００Ｋｂｐｓ以上であることを特徴とする請求項２３に記載の結婚式の中継サービスに適用するシステム。
【請求項３３】
前記インターネット放送をマルチウィンドウにて提供し、該マルチウィンドウのうちの特定のウィンドウは当該インターネット放送の受信者にて書き込み自在とすることを特徴とする請求項２３に記載の結婚式の中継サービスに適用するシステム。
【請求項３４】
配信元と配信先間の双方向通信を利用して、チャット、Ｗｅｂカメラによる視聴者サイドの映像送信及び視聴者のビデオ参加を行うことを特徴とする請求項２３に記載の結婚式の中継サービス方法。
【請求項３５】
ご祝儀のネットマネー決済を行うことを特徴とする請求項２３に記載の結婚式の中継サービスに適用するシステム。
【発明の詳細な説明】
【０００１】
【発明の属する技術分野】
本発明は、ブロードバンドインターネットサービス等によるインターネット放送を利用した結婚式の中継サービス方法及びこのサービス方法の実施に適用するシステムに関する。
【０００２】
【従来の技術】
近年、ブロードバンドインターネットサービス等によるインターネット放送は既に普及の段階に至ろうとしており、これに対する一般的認識はかなり広まりつつある。
【０００３】
一方、ウェディングの映像サービスも業として実施され、テレビカメラ（ビデオカメラ）で撮影した式の模様を編集したビデオテープを依頼者に提供するサービスが旅行会社などによって実施されるようになった。
【０００４】
そして、テレビカメラで撮影した種々の行事の映像をインターネットを利用して広範囲に配信することも幾つか提案されている。例えば、行事会場提供者及び／又は行事進行代理者が予め作製して記憶装置に保存しておいた、行事に関するモデル書式を、通信ネット上に配信する手段と、行事依頼者及び／又は行事主催者が上記モデル書式をアクセスして行事情報及び該行事情報を配信すべき配信対象者に関する情報を入力して該行事に関する書式を完成して配信することを可能にする手段と、行事の進行状況に関するライブ（生）情報をサーバーを介して上記配信対象者に対してリアルタイムで配信する手段とを含み、通信ネットを利用するライブ情報提供サービスシステムを構築し、上記ライブ（生）映像を撮るべき行事が、結婚式場、宴会場、葬儀場等の祝典、慶弔に関する行事であり、インターネットにより行事の主賓や主宰者が第三者に知らせたい映像情報又は見せたい映像情報を、見せたいときにリアルタイムで見せ、且つ知らせるだけでなく、会場内外の第三者側も知りたい情報、見たい映像をリアルタイムで見て、お祝い又はお悔みの言葉を即座に送ることが出来るようにしようとする技術も提案されている（特許文献１）。
【０００５】
また、遠隔地又は海外に在住している友人知人親戚などに対し会場に来てもらうことなく結婚式及び結婚披露宴の模様をリアルタイムで鑑賞してもらうことができるようにするために、会場内に端末を設置し電話回線又はケーブル又は専用線に接続し、ビデオカメラを端末に接続して式及び宴の様子を撮影し、上記端末から電話回線又はケーブル又は専用線を使用してインターネット経由で動画及び音声を送り、鑑賞する人は指定するホームページアドレスにアクセスすることによりライブ中継機能を備えたサーバーから上記の動画及び音声をインターネットを介しダイレクトに受信するようにした方法も提案されている（特許文献２）。
【０００６】
【特許文献１】
特許公開２００２−３１８８６６号公報（請求項１、請求項６、図１）
【特許文献２】
特許公開２００１−３１９０００号公報（要約、図１）
【０００７】
【発明が解決しようとする課題】
しかしながら、上述したブロードバンドインターネットサービス等や、これを応用して利用者に種々の便宜を提供する方法乃至システムでは、インターネット放送を利用した結婚式の中継サービス自体を事業として実施する場合に、その事業者という視座に立って見たときの当該事業を有利に展開するための方法乃至システムとしては未だ十分な提案ではない。
【０００８】
そこで、本発明の目的は、インターネット放送を利用した結婚式の中継サービス自体を事業として実施する場合に、その事業者の立場で事業を有利に展開するに適した結婚式の中継サービス方法及びこのサービス方法の実施に適用するシステムを提供することにある。
【０００９】
【課題を解決するための手段】
上述の課題を解決するため、本発明の方法は、次のような特徴を備えている。
【００１０】
（１）外部から供給された映像データを自己の記憶領域に少なくとも一時的に保存すると共に当該映像データをインターネットの回線網に向けて送出可能になされたサーバー装置を設置し、前記サーバー装置に結婚式の状況をカメラ装置を用いて取得してなる映像の映像データを一時的に保存し、該サーバー装置に保存された映像データに基づいてストリーミング配信を利用したインターネット放送によって当該結婚式の状況を配信する結婚式の中継サービス方法。
【００１１】
（２）前記カメラ装置として、複数種類のテレビカメラのうち用途に適合する何れか一のもの乃至複数のものによって取得した映像を前記サーバー装置に伝送する機能を備えた伝送器に接続可能なカメラ装置を適用する上記（１）に記載の結婚式の中継サービス方法。
【００１２】
（３）前記カメラ装置として、所定期間に亘って常時リアルタイムでインターネット上に生中継の映像を送り続けることが可能になされたライブ・カメラを適用する上記（１）に記載の結婚式の中継サービス方法。
【００１３】
（４）前記カメラ装置として、有線の伝送路を通して前記サーバー装置に結婚式の状況を表す映像の映像データを供給するように機能する伝送器を含んでなる装置を適用する上記（１）に記載の結婚式の中継サービス方法。
【００１４】
（５）前記カメラ装置として、無線の伝送路を通して前記サーバー装置に結婚式の状況を表す映像の映像データを供給するように機能する伝送器を含んでなる装置を適用する上記（１）に記載の結婚式の中継サービス方法。
【００１５】
（６）前記カメラ装置として、通信衛星を利用した伝送路を通して前記サーバー装置に結婚式の状況を表す映像の映像データを供給するように機能する装置を適用する上記（１）に記載の結婚式の中継サービス方法。
【００１６】
（７）前記伝送器を、賃貸借契約に基づいて利用者に貸与する上記（２）に記載の結婚式の中継サービス方法。
【００１７】
（８）前記カメラ装置を、賃貸借契約に基づいて利用者に貸与する上記（３）乃至（６）の何れかに記載の結婚式の中継サービス方法。
【００１８】
（９）前記賃貸借契約乃至該契約に付帯する契約に基づいて当該伝送器の貸与と共にカメラ装置を用いて結婚式の状況を撮影するカメラマン等のカメラクルーの手配に係る便宜を提供する上記（７）に記載の結婚式の中継サービス方法。
【００１９】
（１０）前記賃貸借契約乃至該契約に付帯する契約に基づいて当該カメラ装置の貸与と共にカメラ装置を用いて結婚式の状況を撮影するために用いる照明設備、電源設備、又は、カメラマン等のカメラクルーの手配に係る便宜を提供する上記（８）に記載の結婚式の中継サービス方法。
【００２０】
（１１）前記サーバー装置からストリーミング配信によってインターネット放送を行うに際して、当該結婚式の映像に伴って静止画像を配信する上記（１）に記載の結婚式の中継サービス方法。
【００２１】
（１２）前記サーバー装置からストリーミング配信によってインターネット放送を行うに際して、当該結婚式の映像に伴ってナレーションを配信する上記（１）に記載の結婚式の中継サービス方法。
【００２２】
（１３）前記サーバー装置からストリーミング配信によってインターネット放送を行うに際して、当該結婚式の映像に伴って文字情報を配信する上記（１）に記載の結婚式の中継サービス方法。
【００２３】
（１４）前記サーバー装置からストリーミング配信によってインターネット放送を行うに際して、当該結婚式の映像に伴って商業的宣伝のための情報を配信する上記（１）に記載の結婚式の中継サービス方法。
【００２４】
（１５）依頼者の所望に応じて、前記サーバー装置に当該結婚式の状況を表す映像の映像データを一時預かりする上記（１）に記載の結婚式の中継サービス方法。
【００２５】
（１６）前記結婚式の状況を表す映像の映像データを一時預かりするに関して、当該一時預かりの依頼者に対して、映像データのデータ量又は預かり期間に応じた課金を行う上記（１５）に記載の結婚式の中継サービス方法。
【００２６】
（１７）前記サーバー装置からストリーミング配信によってインターネット放送を行うサービスに関する料金は前記商業的宣伝の広告主から集金し、前記サーバー装置に前記結婚式の状況を表す映像の映像データをアップロードするための費用を該結婚式のインターネット放送の依頼者に負担させる上記（１）に記載の結婚式の中継サービス方法。
【００２７】
（１８）前記サーバー装置からストリーミング配信によってインターネット放送を行うに際して、アグリゲーションによって複数のサービスを統合して単一の情報配信サービスとして放送する上記（１）に記載の結婚式の中継サービス方法。
【００２８】
（１９）前記インターネット放送を５１２乃至８００Ｋｂｐｓ以上のデータ伝送速度で伝送する上記（１）に記載の結婚式の中継サービス方法。
【００２９】
（２０）配信元と配信先間の双方向通信を利用して、チャット、Ｗｅｂカメラによる視聴者サイドの映像送信及び視聴者のビデオ参加を行う上記（１）の結婚式の中継サービス方法。
【００３０】
（２１）ご祝儀のネットマネー決済を行う上記（１）の結婚式の中継サービス方法。
【００３１】
（２２）前記インターネット放送をマルチウィンドウにて提供し、該マルチウィンドウのうちの特定のウィンドウは当該インターネット放送の受信者にて書き込み自在とする上記（１）の結婚式の中継サービス方法。
【００３２】
（２３）外部から供給された映像データを自己の記憶領域に少なくとも一時的に保存すると共に当該映像データをインターネットの回線網に向けストリーミング配信を利用したインターネット放送として送出可能になされたサーバー装置と、結婚式の状況をカメラを用いて取得してなる映像の映像データを前記サーバー装置に伝送するための伝送器と、を含んで構成された結婚式の中継サービスに適用するシステム。
【００３３】
（２４）前記伝送器は、複数種類の既存のテレビカメラのうち用途に適合する何れか一のもの乃至複数のものを自己の入力側に接続可能になされ、当該接続されたテレビカメラによって取得した映像を前記サーバー装置に伝送するように構成されたものである上記（２３）の結婚式の中継サービスに適用するシステム。
【００３４】
（２５）前記カメラ装置は、所定期間に亘って常時リアルタイムでインターネット上に生中継の映像を送り続けることが可能になされたライブ・カメラである上記（２３）の結婚式の中継サービスに適用するシステム。
【００３５】
（２６）前記カメラ装置は、有線の伝送路を通して前記サーバー装置に結婚式の状況を表す映像の映像データを供給する伝送器を含んでなるものである上記（２３）の結婚式の中継サービスに適用するシステム。
【００３６】
（２７）前記カメラ装置は、無線の伝送路を通して前記サーバー装置に結婚式の状況を表す映像の映像データを供給する伝送器を含んでなるものである上記（２３）の結婚式の中継サービスに適用するシステム。
【００３７】
（２８）前記カメラ装置は、通信衛星を利用した伝送路を通して前記サーバー装置に結婚式の状況を表す映像の映像データを供給するように構成されたものである上記（２３）の結婚式の中継サービスに適用するシステム。
【００３８】
（２９）前記サーバー装置は、ストリーミング配信によってインターネット放送を行うようになされ、該ストリーミング配信に際して、当該結婚式の映像に伴って静止画像を配信可能に構成されたものである上記（２３）の結婚式の中継サービスに適用するシステム。
【００３９】
（３０）前記サーバー装置は、ストリーミング配信によってインターネット放送を行うようになされ、該ストリーミング配信に際して、当該結婚式の映像に伴って文字情報を配信可能に構成されたものである上記（２３）の結婚式の中継サービスに適用するシステム。
【００４０】
（３１）前記サーバー装置は、ストリーミング配信によってインターネット放送を行うようになされ、該ストリーミング配信に際して、当該結婚式の映像に伴って商業的宣伝のための情報を配信可能に構成されたものである上記（２３）の結婚式の中継サービスに適用するシステム。
【００４１】
（３２）上記インターネット放送におけるデータ伝送速度は５１２乃至８００Ｋｂｐｓ以上である上記（２３）の結婚式の中継サービスに適用するシステム。
【００４２】
（３３）前記インターネット放送をマルチウィンドウにて提供し、該マルチウィンドウのうちの特定のウィンドウは当該インターネット放送の受信者にて書き込み自在とする上記（２３）の結婚式の中継サービスに適用するシステム。
【００４３】
（３４）配信元と配信先間の双方向通信を利用して、チャット、Ｗｅｂカメラによる視聴者サイドの映像送信及び視聴者のビデオ参加を行う上記（２３）の結婚式の中継サービス方法。
【００４４】
（３５）ご祝儀のネットマネー決済を行う上記（２３）の結婚式の中継サービスに適用するシステム。
【００４５】
【発明の実施の形態】
以下、本発明の好適実施形態について詳細に説明する
【００４６】
図１は本発明の実施形態としての、結婚式の中継サービス方法の実施に適用されるシステムの構成例を説明するための概念図である。
【００４７】
図１において、結婚式の中継サービス業者が所有し、乃至はリース契約等に基づいて使用するために当該業者の属する国内（地上）に設置されたサーバー装置１０は、外部から供給された映像データを自己の記憶領域に少なくとも一時的に保存すると共にこの映像データをインターネットの回線網２０に向けて送出可能に構成されている。このサーバー装置１０に結婚式の状況（例えば、教会３０での挙式に臨んだ新郎新婦４０）をカメラ装置５０を用いて撮影することによって取得した映像を表わす映像データが一時的に保存される。サーバー装置１０は、この保存された映像データに基づいてストリーミング配信の技術を利用してインターネットの回線網２０を通したインターネット放送によって当該結婚式の状況をエッジデバイス（エッジサーバやルータ等）６０を介して各加入者宅（友人、知人宅）７０に配信する。
【００４８】
カメラ装置５０によって取得した映像は、このカメラ装置５０のカメラ部５１とケーブル５２で結ばれた伝送器部５５により通信に適合した形態の信号（データ）に変換されてサーバー装置１０に伝送されるようになされている。尚、カメラ装置５０としては結婚式の状況を撮影するという用途に適合する複数種類のテレビカメラのうち用途に適合する何れか一のもの乃至複数のものが用いられ、これらのテレビカメラが伝送器部５５に接続される。場合に応じて、結婚式の状況を撮影するには複数のテレビカメラが同時に或いは順次に切り替えて適用されるが、それらによる映像データは、何れも伝送器部５５を介してサーバー装置１０に伝送される。
【００４９】
また、カメラ装置５０としては、カメラ部５１と伝送器部５５とが一体に構成されたものを用意してもよく、所定期間（例えば、結婚式の開始前から披露宴の終了までの中継サービス契約期間内等）に亘って常時リアルタイムでインターネット上に生中継の映像を送り続けることが可能になされたライブ・カメラを適用することは推奨できる。
【００５０】
一方、カメラ装置５０からの映像信号（データ）の伝送形態に注目してみると、有線の伝送路８０を通して上記サーバー装置１０に結婚式の状況を表す映像の映像データを供給するように機能する伝送器５５を適用し、或いは、無線の伝送路９０を通してサーバー措置１０に同映像データを供給するように機能する伝送器を適用してもよく、更には、無線の伝送路９０として通信衛星９１を利用した伝送路を通してサーバー装置１０に同映像データを供給するように機能する装置を適用してもよい。
【００５１】
図示のように、通信衛星９１を利用してサーバー装置１０に映像データを伝送する場合には、伝送器部５５からケーブル８２で、衛星通信の地上設備９３に映像データを送り、そこから通信衛星９１とサーバー装置１０に付帯した衛星通信装置１１を介してサーバー装置１０本体に映像データが供給される。本例の場合、サーバー装置１０からの映像は他の通信衛星９２及び衛星通信の地上設備９４，９５を通して受信者宅７１，７２にも配信される。また、通信衛星９１及び地上設備９５を通して受信者宅７２にて衛星放送が受信可能である。
【００５２】
上述のように、伝送器部５５はカメラ部５１と別体に構成され、或いは一体に構成され、更には、図示は省略するが、衛星通信の地上設備の機能部（パラボラアンテナ及び受発信回路部等）が付帯したものとして構成され得る。そして、このような伝送器部５５を賃貸借契約に基づいて利用者に貸与するようにして運用することは、本発明の方法の一実施形態である。
【００５３】
既述のように、伝送器部５５は複数種類のテレビカメラのうち用途に適合する何れか一のもの乃至複数のものを接続可能に構成するを可とし、また全体として小型で軽便なポータブルタイプの装置として構成され得るものである。このようなタイプのものは、取り扱いが簡単であり、利用者（例えば、新郎新婦の友人や知人等カメラワークを業としていない者）が適宜にレンタル（賃借）して自分の所有する通常のビデオカメラ（テレビカメラ）を接続し、結婚式の中継サービス業者の運用するサーバー装置１０に向けての伝送路へと映像を送信するような利用方法によく適合する。
【００５４】
尚、上述したような伝送器部が付帯したタイプのカメラ装置、或いは、伝送器部とカメラ部とが別体のカメラ装置を、賃貸借契約に基づいて利用者に貸与することは本発明の方法の一実施形態である。
【００５５】
更に、上記の賃貸借契約乃至該契約に付帯する契約に基づいて当該伝送器或いはカメラ装置の貸与と共にカメラ装置を用いて結婚式の状況を撮影するカメラマン等のカメラクルーの手配に係る便宜を提供することは本発明の方法の一つの実施形態である。この場合、結婚式の状況を撮影するために用いる照明設備、電源設備の手配に係る便宜を提供することも本発明の方法の一つの実施形態である。
【００５６】
更にまた、サーバー装置からストリーミング配信によってインターネット放送を行うに際して、当該結婚式の映像に伴って静止画像、或いは、ナレーション、更には、文字情報を配信することも本発明の方法の実施形態である。
【００５７】
また、上述における静止画像、ナレーション（音声）、更には、文字情報を結婚式の映像に伴う商業的宣伝のための情報として配信することも本発明の方法の実施形態である。そして、これら静止画像、ナレーション（音声）、又は、文字情報などは、ケーブル８３を通してサーバー装置１０に向けＡＳＰ（ＡｐｐｌｉｃａｔｉｏｎＳｅｒｖｉｃｅ  Ｐｒｏｖｉｄｅｒ）Ｃ１から、或いはまた、通信衛星９１を利用した無線の伝送路９０を通してサーバー装置１０に向け他のＡＳＰたるＣ２から集められ、ストリーミング配信によってインターネット放送を行うに際して、アグリゲーションによって複数のサービスを統合して単一の情報配信サービスとして放送することも本発明の方法の実施形態である。
【００５８】
上述のように、商業的宣伝のための情報を結婚式の映像に伴なってインターネット放送する場合、放送を行うサービスに関する料金は上記商業的宣伝の広告主から集金し、上記サーバー装置に上記結婚式の状況を表す映像の映像データをアップロードするための費用を該結婚式のインターネット放送の依頼者に負担させることも本発明の方法の実施形態である。これによって、結婚式の当事者による費用負担は大幅に軽減されることが期待できる。
【００５９】
尚、サーバー装置１０に当該結婚式の状況を表す映像の映像データを一時預かりするようにし、当該一時預かりの依頼者に対して、映像データのデータ量又は預かり期間に応じた課金を行うことも本発明の方法の実施形態である。
【００６０】
上述したインターネット放送を５１２乃至８００Ｋｂｐｓ以上のデータ伝送速度で伝送することによってＶＨＳ方式のＶＴＲからの再生画像に相応する程度の良好な品位の映像の配信が可能になる。
【００６１】
上述本発明では、配信元と配信先間の双方向通信を利用して、チャット、Ｗｅｂカメラによる視聴者サイドの映像送信及び視聴者のビデオ参加を行うことができる。また、ご祝儀のネットマネー決済を行うこともできる。更に、サーバー機能は適宜共用することができる。そして、直接配信は、エッジサーバのみならず地上系・通信衛星系ともにエンドユーザに対して行うことができる。
【００６２】
図２は、本発明の実施形態としての結婚式の中継サービスのインターネット放送をマルチウィンドウにて提供する場合の受信映像の様子を例示する図である。
【００６３】
図２において、Ｍは結婚式の中継映像たるライブ動画映像である。このライブ動画映像の周囲に本例では６つのウィンドウａ〜ｆが重畳表示される。ウィンドウａはスポンサーＡへのリンクを伴った動画映像、ウィンドウｂは同じ又は他のスポンサーによる静止画、ウィンドウｃはスポンサーＢへのリンクを伴った文字情報、ウィンドウｄは当該インターネット放送の受信者にて書き込み自在な欄、ウィンドウｅは新郎（新婦）のプロファイルに係る文字情報、ウィンドウｆはインタビュー取材による新郎新婦に係るコメンテート等の文字情報である。
【００６４】
以上に説明したような実施形態によれば、結婚式は海外で本人達のみ又は多くとも両親までが出席するような挙式となる場合であっても、通常のビデオカメラ５１と伝送器部５５とを利用して多くの友人、知人宅７０，７０までインターネット放送を以て当事者、特に、花嫁の晴れ姿を遅滞なくライブ放映（配信）することができ、一生に一度の晴れのシーンを多くの人に見て欲しいといった、一般的ニーズによく合致したサービスが実現される。
【００６５】
また、図２を用いての説明で特に明らかな通り、結婚式の中継サービス自体に加えて、動画、静止画、音声等による宣伝情報を伴って放映可能であるため、旅行代理店、航空会社、宝飾店、貸衣装店、化粧品店などの広告主からのコマーシャル収入を得ることができる。
【００６６】
【発明の効果】
本発明によればインターネット放送を利用した結婚式の中継サービス自体を事業として実施する場合に、その事業者の立場で事業を有利に展開するに適した結婚式の中継サービス方法及びこのサービス方法の実施に適用するシステムが提供される。
【図面の簡単な説明】
【図１】本発明の結婚式の中継サービス方法の実施に適用されるシステムの構成例を説明するための概念図である。
【図２】図１のシステムにおいて実施される本発明の結婚式の中継サービスによる受信映像の様子を例示する図である。
【符号の説明】
１０          サーバー装置
２０          インターネット
３０          教会
４０          新郎新婦
５０          カメラ装置
５１          カメラ部
５５          伝送器部
６０          エッジデバイス（エッジサーバやルータ等）
７０          友人、知人宅
【図１】
2004221769.tif 000003
【図２】
2004221769.tif 000004